(57)【要約】【課題】  床ずれ、寝返りの違和感、関節痛、寝冷えなどが無い、良好な寝心地が得られるフローティングベッドシステムを提供する。【解決手段】  水の中で眠る。使用者が水中での呼吸ができるマスクを装備し、そして使用者が快適に身体を水中に保持できる水温調整装置を備えている、水の中で眠る事ができるベッドの提供。【選択図】図１
2015042236.tif 000002
【特許請求の範囲】
【請求項１】
水が入れられた本体と、
使用者が呼吸するためのマスクと、
そのマスクに空気を送るホースとマスクに空気を送るファンを備えており、使用者が前記本体内に身体を横たえ水中に身体を保持し睡眠できることを特徴とするフローティングベッドシステム。
【請求項２】
前記本体内の水の温度を調整、管理するための水温調整装置を更に備え、使用者の体温と本体内の水温をセンサから検知し制御ユニットと連動させ、ヒーター及びクーラーを作動させることによって、本体内の水温を体温と同じ温度、体温プラス何℃、体温マイナス何℃、あるいは、あらかじめ設定しておいた温度を保持できることを特徴とする請求項１に記載のフローティングベッドシステム。
【発明の詳細な説明】
【技術分野】
【０００１】  本発明は一般に、ベッドに関する。より詳細には、本発明は、使用者に良好な寝心地を提供するフローティングベッドシステムに関する。
【背景技術】
【０００２】  好適な寝心地を提供する種々の寝具やベッドが提案され、市販されている。
【発明の開示】
【発明が解決しようとする課題】
【０００３】  しかしながら、従来のベッドでは、ベッドに横たわり同じ姿勢を続けることにより、自身の体重が部分的に掛かるため、首、肩、腰、臀部等が圧迫され、関節痛やしびれを生じさせたり、極端な例であるかもしれないが、床ずれを起こすこともある。またベッドに横たわった際、横臥時と仰臥時で頭部と枕の位置関係が変わるため、寝返りの度毎に違和感を生じさせ、熟睡の妨げとなっていた。さらに、従来のベッドでは、室温と体温のバランスを専ら寝具の熱保持力に依存しているため、就寝時に理想的な体温を保持するのが容易ではなかった。また、夏の夜の室温が高くて安眠できず、寝不足により体調をくずしたり、室内で熱中症になる人も少なくない。【０００４】  このように、従来の寝具やベッドは、種々の不都合を包含しており、満足すべきものが見当たらないのが現状である。本発明は、このような事情に鑑みて案出されたものであって、良好な寝心地を提供するフローティングベッドシステムを提供することを目的としている。
【課題を解決するための手段】
【０００５】  本願請求項１に記載のフローティングベッドシステムは、水が入れられた本体と、使用者が呼吸するためのマスクを備えている。そのマスクには連結されたホースに内蔵されたファンをより、使用者が呼吸するのに十分な空気が送られる。使用者が前記本体内に身体を横たえ、使用者の身体を水中に保持できることを特徴とするものである。【０００６】  本願請求項２に記載のフローティングベッドシステムは、前記請求項１のシステムにおいて、前記本体内の水温を調整管理するための水温調整装置を更に備え、使用者の体温と本体内の水温をセンサから検知し制御ユニットと連動させることによって、体温と同じ温度、または、体温プラス何度、または、体温マイナス何度、あるいは、あらかじめ設定していた温度を保持することができる水温調整装置を有していることを特徴とするものである。
【発明の効果】
【０００７】  本発明のフローティングベッドシステムによれば、使用者の身体を水中に安定的に保持すると同じ状態をつくることができるので、快適な寝心地を提供することができる。また、水温調整装置を備えることにより、体温に合わせる等の水温調整をすることができ、快適な睡眠環境を提供することが可能になる。
【発明を実施するための最良の形態】
【０００８】  次に図面を参照して、本発明の好ましい実施の形態に係るフローティングベッドシステムについて詳細を説明する。図１は、本発明の好ましい実施の形態に係るフローティングベッドシステムの全体を模式的に示した分解斜視図である。図１において全体として参照符号１０で示される本発明の本発明の好ましい実施の形態に係るフローティングベッドシステムは、適温に温められた水が入れられた本体２１にマスク１５を装着した使用者が横たわる。【０００９】  フローティングベッドシステム１０は、使用者が快適に呼吸するためにマスク１５を備えている。マスク１５は適度に柔らかいシリコンで作られており図１の口と鼻部分を覆う形になっており後頭部にまわしているバンド１９により適度に締付けているので、顔表面のマスクと接する部分からは水が入ってこない。またマスク１５には、２本の空気を送るホース１６，１７が接続されており、ホース１６にはファン１８を設置しマスク１５に空気を送りホース１７より流れる空気とともに使用者の吐く息が押し出されていくので、快適な呼吸ができる。さらにファン１８は小型電気モーターによって作動し風量は呼吸するのに快適な風量に設定する。万が一の作動停止による呼吸困難を防ぐためにホースの直径を大きくしたり、もう一つのファンを設けるなどの配慮が必要となることがある。またさらに、ホース１６，１７は、寝返りをうった時に潰れない適度な硬さがあり、ゆとりのある長さを必要とする。【００１０】  耳の中に水が、入るのを防ぐための耳栓２０。この耳栓はシリコンで作られており、水圧の変化に対応できるダイバー用耳栓が好ましい。【００１１】  フローティングベッドシステム１０は、本体２０のベッド使用者が浮力の沈める調整したい場合、おもり（砂袋や鉛等）を身体に取り付け、そのおもりの量で沈める度合いを調整する。また、浮く度合いの調整には、塩を用い、塩分濃度で調整する。【００１２】  本体２１は水が本体上部まで、水が入っても変形しない強度のものを用いる。たとえば、ＦＲＰや家庭用のバスタブのようなものでかまわない。また、フレームを組みフレーム内に防水性で強度の高いシートで成形することも可能である。結露、保温性を考えると断熱材を本体の内側の面などに貼りつけるのが好ましい。【００１３】  フローティングベッドシステム１０は、図２参照、本体１８内の水を加温冷却する、ヒーター及びクーラー２３を有し、本体１８内の水の温度を調整するための水温調整装置２２を備えている。水温調整装置２２は使用者の体温ｔ１を検知する、体温検知センサ２２ａと本体内の水温ｔ２を検知する水温検知センサ２２ｂと体温検知センサ２２ａから得られる体温データと水温検知センサ２２ｂから得られる水温データの差Δｔ（＝｜ｔ１−ｔ２｜）を計算し、温度差Δｔが予め設定した値α以上である場合（Δｔ＞α）には、ヒーター及びクーラー２３に作動信号をおくる制御ユニット２２ｃとを有している。また、制御ユニット２２ｃは、センサ２２ａ、２２ｂとは別に、単独で本体１８内の水温をコントロールすることができる。なお、体温検知センサ２２ａと制御ユニット２２ｃ、水温検知センサ２２ｂと制御ユニット２２ｃ及び制御ユニット２２ｃとヒーター及びクーラ��２３はコード２２ｄ、コード２２ｅ、コード２２ｆでそれぞれ接続されている。（体温検知センサ２２ａは本体内の水温に影響を受けない形をしている）【００１４】  なお、ヒーター及びクーラー２３より押し出された水がホース２４ａを通り、吹き出し口２６より本体１８内へ放出され、放出された分の水が吸い込み口２５、さらにホース２４ｂを通りヒーター及びクーラー２３に戻り、熱媒体もしくは冷媒体に接触させ温度を安定保持させる方式をとっている。ではあるが、循環する水の流れが使用者に影響を及ぼす場合は、このような循環式を選択しない場合もありうる。【００１５】  以上のように構成されたフローティングベッドシステム１０の作動について説明する。
フローティングベッドシステム１０の使用に先立って、本体２１に水を入れ、使用者にとって適当な温度に調整しておく。次に、水温設定し、体温検知センサ２２ａを脇の下等にしっかりと接着させる。次に、ファン１８の作動を確認しマスク１５を口と鼻部分に装着さらに呼吸を確認しその後入水し横たわる。【００１６】  本発明は、以上の発明実施の形態に限定されることなく、特許請求の範囲に記載された発明の範囲内で、種々の変更が可能であり、それらも本発明の範囲内に包含されるものであることはいうまでもない。
【図面の簡単な説明】
【００１７】
【図１】本発明の実施の形態に係るフローティングベッドシステム全体を模式図に示した分解斜視図。
【図２】水温調整装置を説明するための模式図。
【符号の説明】
【００１８】１０フローティングベッドシステム
１５マスク
１６ホース
１７ホース
１８ファン
１９バンド
２０耳栓
２１本体
２２水温調整装置
２２ａ体温検知センサ
２２ｂ水温検知センサ
２２ｃ制御ユニット
２２ｄ、２２ｅ、２２ｆコード
２３ヒーター及びクーラー
２４ホース
２５水の吸い込み口
２６水の噴き出し口
２７水
２８空気
【図１】
2015042236.tif 000003
【図２】
2015042236.tif 000004